(57)【要約】【課題】入力される画像情報に対して所定の画像情報が合成された場合であっても調光装置にて適切に光量を調節することができるプロジェクタの提供。【解決手段】プロジェクタ１は、制御装置４を備える。制御装置４は、画像調整部４５と、画像領域検出部４７と、輝度算出部４８と、調光制御部４９とを備える。画像調整部４５は、入力画像データに対して所定の画像データを合成して合成画像データを生成する。画像領域検出部４７は、合成画像データから所定の画像データを除いた画像データに対応する画像データ領域を検出する。輝度算出部４８は、画像領域検出部４７により検出された画像データ領域の平均輝度を算出する。調光制御部４９は、輝度算出部４８により算出された平均輝度に基づいて、調光装置２２に制御信号を出力して液晶パネル２３に入射する光の光量を調整させる。【選択図】図１
2008242107.tif 000002
【特許請求の範囲】
【請求項１】
光源装置と、光源装置から射出される光を画像情報に応じて変調して光学像を形成する光変調装置と、形成された光学像を拡大投射する投射光学装置と、前記光変調装置に入射する光の光量を調節する調光装置と、これらの装置を制御する制御装置とを備えたプロジェクタであって、
前記制御装置は、
当該プロジェクタに入力される入力画像情報に、所定の画像情報を合成して合成画像情報を生成する画像合成部と、
前記合成画像情報から前記所定の画像情報を除いた画像情報に対応する画像情報領域を検出する画像領域検出部と、
前記画像領域検出部により検出された画像情報領域の輝度を取得する輝度取得部と、
前記輝度取得部により取得された輝度に基づいて、前記調光装置に前記光量を調整させる調光制御部とを備えることを特徴とするプロジェクタ。
【請求項２】
請求項１に記載のプロジェクタにおいて、
前記制御装置は、
前記入力画像情報に係る画像のアスペクト比が前記光変調装置のアスペクト比と一致するか否かを判定するアスペクト比判定部を備え、
前記画像合成部は、前記アスペクト比判定部により前記入力画像情報に係る画像のアスペクト比が前記光変調装置のアスペクト比と一致しないと判定されると、前記合成画像情報に係る画像のアスペクト比が当該光変調装置のアスペクト比と一致するように、前記入力画像情報に、黒色を示す画像情報を合成し、
前記画像領域検出部は、前記合成画像情報から前記黒色を示す画像情報を除いた画像情報領域を検出することを特徴とするプロジェクタ。
【請求項３】
光源装置と、光源装置から射出される光を画像情報に応じて変調して光学像を形成する光変調装置と、形成された光学像を拡大投射する投射光学装置と、前記光変調装置に入射する光の光量を調節する調光装置と、これらの装置を制御する制御装置とを備えたプロジェクタの調光制御方法であって、
当該プロジェクタに入力される入力画像情報に、所定の画像情報を合成して合成画像情報を生成する画像合成ステップと、
前記合成画像情報から前記所定の画像情報を除いた画像情報に対応する画像情報領域を検出する画像領域検出ステップと、
前記画像領域検出ステップにより検出された画像情報領域の輝度を取得する輝度取得ステップと、
前記輝度取得ステップにより取得された輝度に基づいて、前記調光装置に前記光量を調整させる調光制御ステップとを実行することを特徴とするプロジェクタの調光制御方法。
【請求項４】
光源装置と、光源装置から射出される光を画像情報に応じて変調して光学像を形成する光変調装置と、形成された光学像を拡大投射する投射光学装置と、前記光変調装置に入射する光の光量を調節する調光装置と、これらの装置を制御する制御装置とを備えたプロジェクタの調光制御プログラムであって、
前記制御装置に、
当該プロジェクタに入力される入力画像情報に、所定の画像情報を合成して合成画像情報を生成する画像合成ステップと、
前記合成画像情報から前記所定の画像情報を除いた画像情報に対応する画像情報領域を検出する画像領域検出ステップと、
前記画像領域検出ステップにより検出された画像情報領域の輝度を取得する輝度取得ステップと、
前記輝度取得ステップにより取得された輝度に基づいて、前記調光装置に前記光量を調整させる調光制御ステップとを実行させることを特徴とするプロジェクタの調光制御プログラム。
【請求項５】
請求項４に記載の調光制御プログラムをコンピュータに読取可能に記録したことを特徴とする記録媒体。
【発明の詳細な説明】
【技術分野】
【０００１】
本発明は、プロジェクタ、調光制御方法、調光制御プログラム、および記録媒体に関する。
【背景技術】
【０００２】
従来、光源装置と、光源装置から射出される光を画像情報に応じて変調して光学像を形成する光変調装置と、形成された光学像を拡大投射する投射光学装置と、光変調装置に入射する光の光量を調節する調光装置とを備えたプロジェクタが知られている（例えば、特許文献１）。
特許文献１に記載のプロジェクタでは、光源装置と、光変調装置との間に調光装置を構成する遮光板を回動可能に配置し、この遮光板を回動して光源装置から射出される光を遮ることにより、光源装置から射出される光の光量を調節している。また、遮光板による光量の調節は、光変調装置に入力される映像信号（画像情報）の輝度に基づいて行われている。
【０００３】
ところで、近年では、プロジェクタには、テレビ放送などで用いられている４：３や、ハイビジョン放送などで用いられている１６：９などの様々なアスペクト比を有する画像情報が入力されている。また、これに伴い、４：３や、１６：９などの様々なアスペクト比を有する光変調装置を備えたプロジェクタが知られている。
そして、プロジェクタに入力される画像情報に係る画像のアスペクト比と、光変調装置のアスペクト比が異なる場合には、プロジェクタは、入力される画像情報に対して黒色を示す画像情報を合成し、光変調装置のアスペクト比と一致させている。
さらに、テレビ放送を視聴する場合や、ＭＰＥＧ２（Moving Picture Experts Group 2）のような符号化システムでエンコードされたビデオソフトを再生する場合などにおいては、プロジェクタは、いわゆるクローズドキャプションと呼ばれる文字情報から構成される画像情報を、入力される画像情報に対して合成する場合もある。
【０００４】
【特許文献１】国際公開  ＷＯ２００３／０３２０８０
【発明の開示】
【発明が解決しようとする課題】
【０００５】
しかしながら、特許文献１に記載のプロジェクタでは、光変調装置に入力される画像情報の輝度に基づいて光量の調節を行っているので、入力される画像情報に対して黒色を示す画像情報や、文字情報から構成される画像情報などが合成された場合には、画像情報全体の輝度が変化するため、調光装置にて適切に光量を調節することができないという問題がある。
【０００６】
本発明の目的は、入力される画像情報に対して所定の画像情報が合成された場合であっても調光装置にて適切に光量を調節することができるプロジェクタ、調光制御方法、調光制御プログラム、および記録媒体を提供することにある。
【課題を解決するための手段】
【０００７】
本発明のプロジェクタは、光源装置と、光源装置から射出される光を画像情報に応じて変調して光学像を形成する光変調装置と、形成された光学像を拡大投射する投射光学装置と、前記光変調装置に入射する光の光量を調節する調光装置と、これらの装置を制御する制御装置とを備えたプロジェクタであって、前記制御装置は、当該プロジェクタに入力される入力画像情報に、所定の画像情報を合成して合成画像情報を生成する画像合成部と、前記合成画像情報から前記所定の画像情報を除いた画像情報に対応する画像情報領域を検出する画像領域検出部と、前記画像領域検出部により検出された画像情報領域の輝度を取得する輝度取得部と、前記輝度取得部により取得された輝度に基づいて、前記調光装置に前記光量を調整させる調光制御部とを備えることを特徴とする。
【０００８】
このような構成によれば、画像合成部により所定の画像情報を合成した場合には、画像領域検出部は、画像合成部にて生成された合成画像情報から所定の画像情報を除いた画像情報に対応する画像情報領域を検出し、輝度取得部は、画像領域検出部により検出された画像情報領域の輝度を取得する。そして、調光制御部は、輝度取得部により取得された輝度に基づいて調光装置に光量を調節させることができる。したがって、入力される画像情報に対して黒色を示す画像情報や、文字情報などの所定の画像情報が合成された場合であっても調光装置にて適切に光量を調節することができる。
【０００９】
本発明では、前記制御装置は、前記入力画像情報に係る画像のアスペクト比が前記光変調装置のアスペクト比と一致するか否かを判定するアスペクト比判定部を備え、前記画像合成部は、前記アスペクト比判定部により前記入力画像情報に係る画像のアスペクト比が前記光変調装置のアスペクト比と一致しないと判定されると、前記合成画像情報に係る画像のアスペクト比が当該光変調装置のアスペクト比と一致するように、前記入力画像情報に、黒色を示す画像情報を合成し、前記画像領域検出部は、前記合成画像情報から前記黒色を示す画像情報を除いた画像情報領域を検出することが好ましい。
【００１０】
このような構成によれば、制御装置は、アスペクト比判定部と、画像合成部とを備えるので、光変調装置のアスペクト比と、合成画像情報に係る画像のアスペクト比とを一致させることができる。例えば、入力画像情報に係る画像のアスペクト比が４：３であり、光変調装置のアスペクト比が１６：９である場合には、画像合成部にて入力画像情報の横方向の両端に黒色を示す画像情報を合成することにより、光変調装置のアスペクト比と、合成画像情報に係る画像のアスペクト比とを一致させることができる。
ここで、入力画像情報に黒色を示す画像情報を合成した場合には、合成画像情報全体の輝度が大きく低下する。これに対して、画像領域検出部は、合成画像情報から黒色を示す画像情報を除いた画像情報領域を検出するので、調光装置にて適切に光量を調節することができる。
【００１１】
本発明のプロジェクタの調光制御方法は、光源装置と、光源装置から射出される光を画像情報に応じて変調して光学像を形成する光変調装置と、形成された光学像を拡大投射する投射光学装置と、前記光変調装置に入射する光の光量を調節する調光装置と、これらの装置を制御する制御装置とを備えたプロジェクタの調光制御方法であって、当該プロジェクタに入力される入力画像情報に、所定の画像情報を合成して合成画像情報を生成する画像合成ステップと、前記合成画像情報から前記所定の画像情報を除いた画像情報に対応する画像情報領域を検出する画像領域検出ステップと、前記画像領域検出ステップにより検出された画像情報領域の輝度を取得する輝度取得ステップと、前記輝度取得ステップにより取得された輝度に基づいて、前記調光装置に前記光量を調整させる調光制御ステップとを実行することを特徴とする。
【００１２】
このような構成によれば、プロジェクタは、画像合成ステップと、画像領域検出ステップと、輝度取得ステップと、調光制御ステップとを実行するので、前述したプロジェクタと同様の作用、効果を奏することができる。
【００１３】
本発明のプロジェクタの調光制御プログラムは、光源装置と、光源装置から射出される光を画像情報に応じて変調して光学像を形成する光変調装置と、形成された光学像を拡大投射する投射光学装置と、前記光変調装置に入射する光の光量を調節する調光装置と、これらの装置を制御する制御装置とを備えたプロジェクタの調光制御プログラムであって、前記制御装置に、当該プロジェクタに入力される入力画像情報に、所定の画像情報を合成して合成画像情報を生成する画像合成ステップと、前記合成画像情報から前記所定の画像情報を除いた画像情報に対応する画像情報領域を検出する画像領域検出ステップと、前記画像領域検出ステップにより検出された画像情報領域の輝度を取得する輝度取得ステップと、前記輝度取得ステップにより取得された輝度に基づいて、前記調光装置に前記光量を調整させる調光制御ステップとを実行させることを特徴とする。
【００１４】
このような構成によれば、前述したプロジェクタの調光制御方法と同様の作用、効果を奏することができる。
【００１５】
本発明の記録媒体は、前述した調光制御プログラムをコンピュータに読取可能に記録したことを特徴とする。
【００１６】
このような構成によれば、前述したプロジェクタの調光制御プログラムと同様の作用、効果を奏することができる。なお、記録媒体として、ＤＡＴ（Digital Audio Tape）等の磁気テープ、フレキシブルディスク等の磁気ディスク、ＣＤ（Compact Disc）およびＤＶＤ（Digital Versatile Disc）等の光ディスク、光磁気ディスク、ハードディスク装置、および、半導体メモリ等を用いることができ、これらを利用して、調光制御プログラムをインストール、実行、および配布することができる。
【発明を実施するための最良の形態】
【００１７】
〔第１実施形態〕
以下、本発明の第１実施形態を図面に基づいて説明する。
〔プロジェクタの構成〕
図１は、プロジェクタ１の概略構成を示すブロック図である。
プロジェクタ１は、光源から射出された光を画像データ（画像情報）に応じて変調して光学像を形成し、形成された光学像をスクリーンＳｃに拡大投射するものであり、図１に示すように、画像投射装置２と、操作装置３と、制御装置４とで概略構成されている。
【００１８】
画像投射装置２は、図１に示すように、光源装置２１と、調光装置２２と、光変調装置としての液晶パネル２３と、投射光学装置２４とを備える。
光源装置２１は、高圧放電ランプにて構成される光源ランプ２５を備え、光源ランプ２５は、光を液晶パネル２３に向けて射出する。なお、光源装置２１は、光源ランプ２５に代えて、発光ダイオード、レーザダイオード、有機ＥＬ素子等の各種自己発光素子を備えていてもよい。
調光装置２２は、光源ランプ２５から射出される光の光量を調節するものであり、光源装置２１と、液晶パネル２３との間に回動自在に配置される遮光板（図示略）から構成される。この遮光板は、制御装置４からの制御信号に基づいて回動して光源装置２１から射出される光を遮ることにより、液晶パネル２３に入射する光の光量を調節する。
【００１９】
液晶パネル２３は、透過型の液晶パネルであり、液晶セル（図示略）に封入された液晶分子の配列を変化させ、光源ランプ２５から射出された光を、透過若しくは遮断することにより画像データに応じて変調して光学像を形成し、この光学像を投射光学装置２４に射出する。なお、本実施形態では、液晶パネル２３のアスペクト比は、１６：９である。
投射光学装置２４は、筒状の鏡筒（図示略）内に複数のレンズが収納された組レンズとして構成され、液晶パネル２３から射出された光学像をスクリーンＳｃに向けて拡大投射するものである。なお、スクリーンＳｃには、射出された光学像に基づく投射画像が表示される。
【００２０】
なお、図示は省略するが、プロジェクタ１は、ＲＧＢの３色に対応する３枚の液晶パネル２３を備えている。また、光源装置２１は、光源ランプ２５から射出される光を３色の光に分離する色光分離光学装置を備えている。さらに、投射光学装置２４は、３色の光学像を合成してカラー画像を表す光学像を生成する合成光学装置を有している。
【００２１】
操作装置３は、プロジェクタ１の起動・調整操作等を実施するものであり、外装筐体に設けられた操作パネル（図示略）や、リモートコントローラ（図示略）などから構成されている。そして、プロジェクタ１の使用者は、この操作装置３を操作することにより、後述する調光制御処理を実行するか否かの設定をすることができる。
【００２２】
制御装置４は、例えば、ＣＰＵ（Central Processing Unit）等を含んで構成され、プロジェクタ１全体を制御するものであり、図１に示すように、メインメモリ４１と、画像処理手段４２とを備える。これら各構成要素４１，４２は、図示しないバスにより接続され、必要な情報が伝送可能に構成されている。
メインメモリ４１は、制御装置４で所定の処理を実行するためのプログラムやデータ等を記憶するものであり、本発明の調光制御プログラムが記憶されている。
【００２３】
画像処理手段４２は、例えば、ＤＳＰ（Digital Signal Processor）およびＧＰＵ(Graphics Processor Unit)等を含んで構成され、主として画像処理を実施するものであり、画像生成部４３と、アスペクト比判定部４４と、画像調整部４５と、ビデオメモリ４６と、画像領域検出部４７と、輝度算出部４８と、調光制御部４９とを備える。
【００２４】
画像生成部４３は、入力される画像データ信号をサンプリングしてフレーム単位の画像データ（以下、入力画像データ（入力画像情報）とする）を生成する。
なお、画像データ信号は、プロジェクタ１の接続端子（図示略）を介してＰＣ（Personal Computer）等から外部入力させてもよく、さらには、ＤＶＤ（Digital Versatile Disk）再生装置等を内蔵したプロジェクタにあっては、内部バスを介して入力させてもよい。
アスペクト比判定部４４は、入力画像データに係る画像のアスペクト比が液晶パネル２３のアスペクト比と一致するか否かを判定する。
【００２５】
画像合成部としての画像調整部４５は、アスペクト比判定部４４による判定の結果に基づいて、画像生成部４３により生成された入力画像データから液晶パネル２３にて光源ランプ２５から射出された光を変調するための画像データを生成し、生成した画像データをビデオメモリ４６に記憶させる。
具体的には、画像調整部４５は、アスペクト比判定部４４にて入力画像データに係る画像のアスペクト比が液晶パネル２３のアスペクト比と一致すると判定されると、入力画像データをビデオメモリ４６に記憶させる。
【００２６】
一方、画像調整部４５は、アスペクト比判定部４４にて入力画像データに係る画像のアスペクト比が液晶パネル２３のアスペクト比と一致しないと判定されると、入力画像データに黒色を示す画像データを合成して入力画像データに係る画像のアスペクト比が液晶パネル２３のアスペクト比と一致するように合成画像データ（合成画像情報）を生成し、この合成画像データをビデオメモリ４６に記憶させる。
【００２７】
図２は、画像調整部４５により合成された合成画像データに基づく投射画像の一例を示す図である。
ここで、画像調整部４５が入力画像データに黒色を示す画像データを合成する場合としては、例えば、以下のような場合がある。
例えば、入力画像データのアスペクト比が４：３であり、縦方向の解像度が入力画像データと、液晶パネル２３とで同一であるとする。この場合には、画像調整部４５は、図２に示すように、スクリーンＳｃに表示される投射画像Ｐ１における左右部分、すなわち、横方向の両端に、黒色の画像ＰＬ，ＰＲが挿入されるように、入力画像データに黒色を示す画像データを合成する。
【００２８】
なお、画像調整部４５は、入力画像データに黒色を示す画像データを合成して合成画像データを生成した場合には、画像領域検出部４７に、合成画像データを生成した旨を示す合成情報を出力する。なお、合成情報は、入力画像データに対して、どのような位置に、どのような大きさの画像データを合成したかを示す情報が含まれている。
そして、画像調整部４５は、ビデオメモリ４６に記憶された入力画像データまたは合成画像データを液晶パネル２３に出力し、液晶パネル２３は、ビデオメモリ４６に記憶された入力画像データまたは合成画像データに基づく光学像を形成してスクリーンＳｃに拡大投射する。
【００２９】
画像領域検出部４７は、画像調整部４５により出力される合成情報に基づいて、合成画像データから黒色を示す画像データを除いた画像データに対応する画像データ領域（画像情報領域）を検出する。なお、合成画像データから黒色を示す画像データを除いた画像データに対応する画像データ領域とは、図２においては、投射画像Ｐ１における黒色の画像ＰＬ，ＰＲを除く部分の画像ＰＣである。ここで、画像調整部４５により合成情報が出力されていない場合、すなわち、合成画像データが生成されずにビデオメモリ４６に入力画像データが記憶されている場合には、画像領域検出部４７は、ビデオメモリ４６に記憶された入力画像データ全体の画像データ領域を検出する。すなわち、画像領域検出部４７は、画像調整部４５により合成画像データが生成されたか否かに応じて検出する画像データ領域を切り替えている。
【００３０】
輝度取得部としての輝度算出部４８は、画像領域検出部４７により検出された画像データ領域の平均輝度を算出する。
調光制御部４９は、輝度算出部４８により算出された平均輝度に基づいて、調光装置２２に制御信号を出力して液晶パネル２３に入射する光の光量を調節させる。例えば、調光制御部４９は、輝度算出部４８により算出される平均輝度が高くなるに従って、液晶パネル２３に入射する光の光量を減少させるように調節させることができる。
【００３１】
〔プロジェクタの調光制御処理〕
次に、プロジェクタ１の調光制御処理について図３を参照して説明する。
図３は、プロジェクタ１の調光制御処理を示すフローチャートである。
プロジェクタ１に、画像データ信号が入力されると、画像生成部４３により入力画像データが生成される。そして、プロジェクタ１は、メインメモリ４１に記憶された調光制御プログラムに従って、以下のステップＳ１〜Ｓ５を実行することにより、調光制御処理を実施する。
【００３２】
画像生成部４３により入力画像データが生成されると、アスペクト比判定部４４は、入力画像データに係る画像のアスペクト比が液晶パネル２３のアスペクト比と一致するか否かを判定する（アスペクト比判定ステップＳ１）。
次に、画像調整部４５は、アスペクト比判定部４４による判定の結果に基づいて、画像生成部４３により生成された入力画像データから液晶パネル２３にて光源ランプ２５から射出された光を変調するための画像データを生成し、生成した画像データをビデオメモリ４６に記憶させる（画像データ生成ステップＳ２）。
具体的には、画像調整部４５は、アスペクト比判定部４４にて入力画像データに係る画像のアスペクト比が液晶パネル２３のアスペクト比と一致すると判定されると、入力画像データをビデオメモリ４６に記憶させる（入力画像データ記憶ステップＳ２１）。
【００３３】
一方、画像調整部４５は、アスペクト比判定部４４にて入力画像データに係る画像のアスペクト比が液晶パネル２３のアスペクト比と一致しないと判定されると、入力画像データに係る画像のアスペクト比が液晶パネル２３のアスペクト比と一致するように入力画像データに黒色を示す画像データを合成する（黒色画像データ合成ステップＳ２２）。
入力画像データに所定の画像データが合成され、合成画像データが生成されると、画像調整部４５は、この合成画像データをビデオメモリ４６に記憶させる（合成画像データ記憶ステップＳ２３）。
なお、本実施形態では、画像合成ステップは、ステップＳ２２と、ステップＳ２３とにより構成されている。
【００３４】
ビデオメモリ４６に入力画像データまたは合成画像データが記憶されると、画像領域検出部４７は、画像調整部４５により出力される合成情報に基づいて、合成画像データから黒色を示す画像データを除いた画像データに対応する画像データ領域を検出する（画像領域検出ステップＳ３）。
次に、輝度算出部４８は、画像領域検出部４７により検出された画像データ領域の平均輝度を算出する（輝度取得ステップＳ４）。
輝度算出部４８により平均輝度が算出されると、調光制御部４９は、輝度算出部４８により算出された平均輝度に基づいて、調光装置２２に制御信号を出力して液晶パネル２３に入射する光の光量を調節させる（調光制御ステップＳ５）。
以上のようなステップＳ１〜Ｓ５を実行することにより、調光制御処理が実施される。
【００３５】
本実施形態に係るプロジェクタ１によれば、次のような効果がある。
（１）画像調整部４５により所定の画像情報を合成した場合には、画像領域検出部４７は、画像調整部４５にて生成された合成画像データから所定の画像データを除いた画像データに対応する画像データ領域を検出し、輝度算出部４８は、画像領域検出部４７により検出された画像データ領域の平均輝度を算出する。そして、調光制御部４９は、輝度算出部４８により算出された平均輝度に基づいて調光装置２２に光量を調節させることができる。したがって、入力画像データに対して所定の画像情報が合成された場合であっても調光装置２２にて適切に光量を調節することができる。
（２）入力画像データに黒色を示す画像データを合成した場合には、合成画像データ全体の輝度が大きく低下する。これに対して、画像領域検出部４７は、合成画像データから黒色を示す画像データを除いた画像データに対応する画像データ領域を検出するので、調光装置２２にて適切に光量を調節することができる。
【００３６】
〔第２実施形態〕
本発明の第２実施形態に係るプロジェクタ１Ａについて説明する。
なお、以下の説明では、既に説明した部分については、同一符号を付してその説明を省略する。
前記第１実施形態に係るプロジェクタ１は、操作装置３と、画像処理手段４２を有する制御装置４とを備え、画像処理手段４２は、アスペクト比判定部４４と、画像調整部４５とを備えていた。これに対して、本実施形態に係るプロジェクタ１Ａは、操作装置３Ａと、画像処理手段４２Ａを有する制御装置４Ａとを備え、画像処理手段４２Ａは、文字表示判定部５０と、画像調整部４５Ａとを備えている点で異なる。
【００３７】
〔プロジェクタの構成〕
図４は、プロジェクタ１Ａの概略構成を示すブロック図である。
プロジェクタ１Ａは、図４に示すように、画像投射装置２と、操作装置３Ａと、制御装置４Ａとで概略構成されている。
操作装置３Ａは、プロジェクタ１Ａの起動・調整操作等を実施するものであり、プロジェクタ１の使用者は、この操作装置３Ａを操作することにより、後述する文字情報を投射画像内に表示するように設定することができ、さらに、この文字情報の投射画像内における位置を変更することができる。
【００３８】
制御装置４Ａは、ＣＰＵ等を含んで構成され、プロジェクタ１Ａ全体を制御するものであり、メインメモリ４１と、画像処理手段４２Ａとを備える。
画像処理手段４２Ａは、例えば、ＤＳＰおよびＧＰＵ等を含んで構成され、主として画像処理を実施するものであり、画像生成部４３Ａと、文字表示判定部５０と、画像調整部４５Ａと、ビデオメモリ４６と、画像領域検出部４７と、輝度算出部４８と、調光制御部４９とを備える。
画像生成部４３Ａは、入力される画像データ信号をサンプリングしてフレーム単位の入力画像データを生成する。また、画像データ信号には、文字データ（文字情報）が重畳され、画像生成部４３Ａは、入力画像データを生成するとともに、画像データ信号に重畳された文字データを取得し、取得した文字データを画像調整部４５Ａに出力する。
【００３９】
文字表示判定部５０は、プロジェクタ１Ａの使用者による操作装置３Ａの操作により文字データを投射画像内に表示するように設定しているか否かを判定する。
画像合成部としての画像調整部４５Ａは、文字表示判定部５０による判定の結果に基づいて、画像生成部４３Ａにより生成された入力画像データから液晶パネル２３にて光源ランプ２５から射出された光を変調するための画像データを生成し、生成した画像データをビデオメモリ４６に記憶させる。
【００４０】
具体的には、画像調整部４５Ａは、文字表示判定部５０にて文字データを投射画像内に表示するように設定していないと判定されると、入力画像データをビデオメモリ４６に記憶させる。
一方、画像調整部４５Ａは、文字表示判定部５０にて文字データを投射画像内に表示するように設定していると判定されると、入力画像データに画像生成部４３Ａにて取得される文字データから構成される画像データを合成して合成画像データを生成し、この合成画像データをビデオメモリ４６に記憶させる。
【００４１】
図５は、画像調整部４５Ａにより合成された合成画像データに基づく投射画像の一例を示す図である。
ここで、画像調整部４５Ａが入力画像データに文字データから構成される画像データを合成する場合としては、例えば、以下のような場合がある。
例えば、プロジェクタ１Ａの使用者が操作装置３Ａを介して文字データを投射画像内の下部分に表示するように設定した場合には、画像調整部４５Ａは、図５に示すように、スクリーンＳｃに表示される投射画像Ｐ２における下部分に、文字データから構成される画像ＰＢが挿入されるように、入力画像データに文字データから構成される画像データを合成する。
なお、画像調整部４５Ａは、入力画像データに文字データから構成される画像データを合成して合成画像データを生成した場合には、画像領域検出部４７に、合成画像データを生成した旨を示す合成情報を出力する。
【００４２】
そして、画像領域検出部４７は、画像調整部４５により出力される合成情報に基づいて、合成画像データから文字データから構成される画像データを除いた画像データに対応する画像データ領域を検出する。なお、合成画像データから文字データから構成される画像データを除いた画像データに対応する画像データ領域とは、図５においては、投射画像Ｐ２における文字データから構成される画像ＰＢを除く部分の画像ＰＵである。
【００４３】
〔プロジェクタの調光制御処理〕
次に、プロジェクタ１Ａの調光制御処理について図６を参照して説明する。
図６は、プロジェクタ１Ａの調光制御処理を示すフローチャートである。
プロジェクタ１Ａに、画像データ信号が入力されると、画像生成部４３Ａにより入力画像データが生成されるとともに、画像データ信号に重畳された文字データが取得される。そして、プロジェクタ１Ａは、メインメモリ４１に記憶された調光制御プログラムに従って、以下のステップＳ１１〜Ｓ５を実行することにより、調光制御処理を実施する。
【００４４】
画像生成部４３Ａにより入力画像データが生成されると、文字表示判定部５０は、プロジェクタ１Ａの使用者による操作装置３Ａの操作により文字データを投射画像内に表示するように設定しているか否かを判定する（文字表示判定ステップＳ１１）。
次に、画像調整部４５Ａは、文字表示判定部５０による判定の結果に基づいて、画像生成部４３Ａにより生成された入力画像データから液晶パネル２３にて光源ランプ２５から射出された光を変調するための画像データを生成し、生成した画像データをビデオメモリ４６に記憶させる（画像データ生成ステップＳ１２）。
【００４５】
具体的には、画像調整部４５Ａは、文字表示判定部５０にて文字データを投射画像内に表示するように設定していないと判定されると、入力画像データをビデオメモリ４６に記憶させる（入力画像データ記憶ステップＳ１２１）。
一方、画像調整部４５Ａは、文字表示判定部５０にて文字データを投射画像内に表示するように設定していると判定されると、入力画像データに画像生成部４３Ａにて取得される文字データから構成される画像データを合成する（文字画像データ合成ステップＳ１２２）。
入力画像データに所定の画像データが合成され、合成画像データが生成されると、画像調整部４５Ａは、この合成画像データをビデオメモリ４６に記憶させる（合成画像データ記憶ステップＳ１２３）。
なお、本実施形態では、画像合成ステップは、ステップＳ１２２と、ステップＳ１２３とにより構成されている。
そして、ビデオメモリ４６に入力画像データまたは合成画像データが記憶されると、プロジェクタ１Ａは、ステップＳ３〜Ｓ５を実行する。
以上のようなステップＳ１１〜Ｓ５を実行することにより、調光制御処理が実施される。
【００４６】
本実施形態に係るプロジェクタ１Ａによれば、次のような効果がある。
このような本実施形態においても、前記第１実施形態の（１）と同様の作用、効果を得ることができる他、以下の作用、効果を奏することができる。
すなわち、入力画像データに対して文字データから構成される画像データが合成された場合であっても調光装置２２にて適切に光量を調節することができる。
【００４７】
〔実施形態の変形〕
本発明は前記各実施形態に限定されるものではなく、本発明の目的を達成できる範囲での変形、改良等は本発明に含まれるものである。
前記各実施形態では、入力画像データに対して合成される画像データとして、黒色を示す画像データおよび文字データから構成される画像データを例示したが、合成される画像データは、例えば、電子番組表等から構成される画像データ等であってもよく、要するに、入力画像データに対して合成される画像データであればよい。
前記各実施形態では、輝度算出部４８は、画像領域検出部４７により検出される画像データ領域の平均輝度を算出していたが、例えば、ヒストグラムなどを利用して代表的な輝度などを取得してもよく、要するに、画像領域検出部により検出される画像情報領域の輝度を取得すればよい。
【００４８】
前記各実施形態では、画像領域検出部４７は、画像調整部４５，４５Ａにより出力される合成情報に基づいて、合成画像データから黒色を示す画像データおよび文字データから構成される画像データを除いた画像データ領域を検出していた。これに対して、例えば、画像処理などにより自動的に黒色を示す画像データや、文字データから構成される画像データ等を検出し、合成画像データから黒色を示す画像データおよび文字データから構成される画像データを除いた画像データ領域を検出してもよい。要するに、画像領域検出部は、合成画像情報から所定の画像情報を除いた画像情報領域を検出することができればよい。
前記各実施形態では、調光装置２２は、遮光板により構成されていたが、例えば、光源ランプを駆動する駆動電流を調節することにより、光源ランプから射出される光の光量を調節するように構成してもよい。要するに、光変調装置に入射する光の光量を調節することができればよい。
【００４９】
前記各実施形態では、透過型の液晶パネル２３を採用していたが、これに限らず、反射型の液晶パネルを採用してもよく、あるいは、デジタルマイクロミラーデバイス（ＤＭＤ）を採用してもよい。なお、ＤＭＤは米国テキサスインスツルメンツ社の商標である。
前記各実施形態では、液晶パネル２３を３枚設けた構成としていたが、これに限らず、１枚のみの液晶パネル２３を設ける構成、２枚の液晶パネル２３を設ける構成、４枚以上の液晶パネル２３を設ける構成としてもよい。
【産業上の利用可能性】
【００５０】
本発明は、プロジェクタに利用でき、特に、調光装置を備えるプロジェクタに好適に利用することができる。
【図面の簡単な説明】
【００５１】
【図１】本発明の第１実施形態に係るプロジェクタの概略構成を示すブロック図。
【図２】前記実施形態に係る画像調整部により合成された合成画像データに基づく投射画像の一例を示す図。
【図３】前記実施形態に係るプロジェクタの調光制御処理を示すフローチャート。
【図４】本発明の第２実施形態に係るプロジェクタの概略構成を示すブロック図。
【図５】前記実施形態に係る画像調整部により合成された合成画像データに基づく投射画像の一例を示す図。
【図６】前記実施形態に係るプロジェクタの調光制御処理を示すフローチャート。
【符号の説明】
【００５２】
１，１Ａ…プロジェクタ、４，４Ａ…制御装置、２１…光源装置、２２…調光装置、２３…液晶パネル（光変調装置）、２４…投射光学装置、４４…アスペクト比判定部、４５，４５Ａ…画像調整部（画像合成部）、４７…画像領域検出部、４８…輝度算出部（輝度取得部）、４９…調光制御部、Ｓ２２…黒色画像データ合成ステップ、Ｓ１２２…文字画像データ合成ステップ、Ｓ２３，Ｓ１２３…合成画像データ記憶ステップ、Ｓ３…画像領域検出ステップ、Ｓ４…輝度算出ステップ（輝度取得ステップ）、Ｓ５…調光制御ステップ。
【図１】
2008242107.tif 000003
【図２】
2008242107.tif 000004
【図３】
2008242107.tif 000005
【図４】
2008242107.tif 000006
【図５】
2008242107.tif 000007
【図６】
2008242107.tif 000008